(57)【特許請求の範囲】
【請求項１】
ドア本体の中央部に所要の大きさの開口部を形成し、
この開口部に、全体が室外方向に、開口部の上縁側から下縁側に向って中央部が最も突出するように緩やかな円弧状に膨出し、少なくとも室外に立つ人の全身を観察することができる、マジックミラー加工した安全ガラスを装着したこと
を特徴とした玄関ドア。
【請求項２】
前記マジックミラー加工した安全ガラスが、
強化ガラス、合わせガラス、網入板ガラス、線入板ガラスのいずれかに耐久性に優れた反射膜をコーティングしたものであること
を特徴とする請求項１に記載の玄関ドア。
【請求項３】
前記ドア本体は、
その上部に、夜間室外を室内より明るくするための照明灯を設けたこと
を特徴とする請求項１に記載の玄関ドア。
【請求項４】
前記ドア本体は、
室内側の開口部を遮光部材によって開閉自在に構成したこと
を特徴とする請求項１に記載の玄関ドア。
【発明の詳細な説明】
【０００１】
【発明の属する技術分野】
この発明は、一般住宅や集合住宅などにおいて、防犯や安全確保のために訪問者や外側の様子を、内側から確認できる玄関ドアに関するものである。
【０００２】
【従来の技術】
室内から、玄関ドアに設けたレンズ付きの覗き窓を通して訪問者を確認することは古くから実施されているが、室内が外部より明るい場合には、室内に覗く人が居ることが分かるという問題があるので、例えば、実開昭６１−１３７７８４号公報においては、覗き窓を比較的大きく形成するとともに、覗き窓を室内からのみ訪問者を見ることができるマジックミラーで覆う玄関ドアが、また、特開平８−１５１８７０号公報においては、玄関ドアの正面にカメラ本体を固定し、その映像を家庭用テレビなどに映し出して訪問者の様子を確認することなどが提案されている。
【０００３】
【発明が解決しようとする課題】
しかしながら、前記のマジックミラーを配した玄関ドアは、小さな覗き窓を通して確認する方法に比して、訪問者を比較的大きく見ることができる点において有効なものではあるが、可視部分は顔又は顔から胸までしか見ることができず、訪問者の危険性の判断が難しく、防犯や安全性確保の観点からはさらなる改良が求められるものである。
【０００４】
一方、防犯カメラによる場合は、一般的に、通常設置する場所が上方や側方などあまり目の付かない場所であるので、訪問者の顔を正面から確認することは困難で、正面から訪問者の顔を映せたとしても、訪問者がカメラ近くにいない場合、顔を鮮明に映し出すことができず、室内モニター画面が小さい場合は、モニターを遠目に見ることになるので実際には訪問者の顔がよく見えないのが現状で、いずれにしても装置の設置が煩瑣で、肉眼で見るのに比較して、画面を通して見るため現実感に乏しいなど多くの解決すべき課題を有していた。
【０００５】
この発明はかかる現状に鑑み、玄関の訪問者や外側の様子を相手に悟られることなく内側から確認することができ、かつ訪問者の全身を自分の目で鮮明に見ることによって家主は現実感が持つことができ、訪問者の危険性の判断を容易にすることができ、また、訪問者が玄関近くにいなくともその存在を容易に確認することができる玄関ドアを提供するものである。
【０００６】
【課題を解決するための手段】
前記目的を達成するために、この発明の請求項１に記載の発明は、
ドア本体の中央部に所要の大きさの開口部を形成し、
この開口部に、全体が室外方向に、開口部の上縁側から下縁側に向って中央部が最も突出するように緩やかな円弧状に膨出し、少なくとも室外に立つ人の全身を観察することができる、マジックミラー加工した安全ガラスを装着したこと
を特徴とした玄関ドアである。
【０００７】
また、この発明の請求項２に記載の発明は、
前記請求項１に記載の玄関ドアにおいて、
前記マジックミラー加工した安全ガラスが、
強化ガラス、合わせガラス、網入板ガラス、線入板ガラスのいずれかに耐久性に優れた反射膜をコーティングしたものであること
を特徴とするものである。
【０００８】
また、この発明の請求項３に記載の発明は、
前記請求項１に記載の玄関ドアにおいて、
前記ドア本体は、
その上部に、夜間室外を室内より明るくするための照明灯を設けたこと
を特徴とするものである。
【０００９】
また、この発明の請求項４に記載の発明は、
前記請求項１に記載の玄関ドアにおいて、
前記ドア本体は、
室内側の開口部を遮光部材によって開閉自在に構成したこと
を特徴とするものである。
【００１０】
【発明の実施の形態】
この発明の玄関ドアは、室外の訪問者の全身を肉眼で観察することによって、防犯効果を高めるものであって、ドア本体に比較的大きな開口部を形成し、この開口部にマジックミラー加工を施した安全ガラスを装着したものである。
【００１１】
この発明で、安全ガラスとは、型板の成形に際し、普通のガラス板を約７００度に焼き入れして表面に圧縮応力を存在させて強化させた強化ガラス、２枚のガラス間にプラスチックの膜を挟み込んで熱と圧力で接合させた合わせガラス、ロール間のガラスに鋼製の網を連続的に厚みの中間にかみ込ませた厚みが６．８ｍｍ以上の網入板ガラスや、網の代わりに１〜２“の間隔で鋼線を配した線入板ガラスなど銃器の弾丸が貫通するおそれがなく、外部からの衝撃に対しても十分に耐えることのできるガラスを意味し、前記素材の裏面に耐久性に優れた反射膜を、コーティングしてマジックミラー加工したものである。
【００１２】
このマジックミラー加工された安全ガラスは、訪問者の全身を確認することができ、かつドア本体に占める安全ガラスの面積をできるだけ少なくするため、全体を室外方向に凸状に、より具体的には、開口部の上縁側から下縁側向かって中央部が最も突出するように緩やかな円弧状に膨出形成したものである。
【００１３】
また、このマジックミラー加工された安全ガラスは、基本的には室内と室外の明るさの差を利用するものであるため、夜間など室内側が明るい場合は、室内が見えてしまうので、ドア本体の上部に照明灯を設け、訪問者が所定の範囲に入ったときに自動的に点灯するよう構成することが望ましい。
【００１４】
その際、場合によっては照明灯を破壊されるおそれもあるので、照明灯を安全ガラスでカバーすることが好ましく、昼間においても、室内側が外部から覗かれるおそれもあり得るので、室内側の開口部をカーテンなどの遮光部材によって、開閉自在とすることが好ましい。
【００１５】
【作用】
この発明の玄関ドアは、ドア本体の開口部にマジックミラー加工を施した安全ガラスを装着したので、内側から訪問者の全身を簡単かつ容易に確認することができ、このことによって訪問者の危険性の判断を容易にし、かつ訪問者が玄関近くにいなくとも、その存在確認がきわめて簡単である。
【００１６】
【実施例】
以下、この発明の玄関ドアの一実施例を、添付の図面に基づいて具体的に説明すると、この発明の玄関ドア１は、ドア本体２と、このドア本体２に中央部に装着された安全ガラス４と、ドア本体２の上部に配置された照明灯８とから構成されるもので、ドア本体２の下方には、新聞などを受け入れるための開閉式の小さな扉６を設けたものである。
【００１７】
前記ドア本体２は鋼製の素材からなるもので、その中央部には安全ガラス４を装着するために所要の大きさの開口部３を形成するとともに、その下方にも新聞や郵便物を受け入れるための開口部３ａを設けたもので、この開口部３ａの室内側にはボックス状の受け部５を、室外側には上下方向に開閉する扉６を設けたものである。
【００１８】
前記安全ガラス４は、厚さ約１０ｍｍの網入り板ガラスの裏面（室内側）に、金属製の反射膜をコーティングしてマジックミラー仕様としたものである。この安全ガラス４は、図１から明らかのように、全体を縦方向に緩やかな円弧状に形成して外側に膨出させたもので、かかる形状とすることによって安全ガラス４の大きさを可能なかぎり小さくし、かつ訪問者の全身を簡単かつ容易に確認することを可能とし、安全性を高めている。
【００１９】
このマジックミラー仕様とした安全ガラス４は、ガラスを挟んだ双方の明暗の差によって効果を生じるため、ドア本体２に形成された開口部３の内側の上縁部に沿ってカーテンレール９を付設し、遮光部材からなるカーテン１０を開閉自在に設けるとともに、夜間は室外が常に室内よりも明るい状態を保持することができるようにドア本体２の上部に空所７を形成し、この空所７内に照明灯８を装着し、例えば、訪問者が所定のエリア内に入るとセンサーによって検知し、自動的に照明灯８が点灯するよう構成したものである。
【００２０】
なお、前記照明灯８を内蔵する空所７の前面は、安全ガラスを装着し、照明灯８を破壊されないようにすることが好ましい。また、図中、１１はドア本体２に設けられたドアノブである。
【００２１】
【発明の効果】
この発明の玄関ドアは、ドア本体に訪問者の全身が視認可能な大きさのマジックミラー加工された安全ガラスを装着しているので、室内から訪問者の全身を簡単かつ容易に確認することができ、このことによって訪問者の危険性有無の判断を容易にし、かつ訪問者が玄関近くにいなくともその存在確認がきわめて簡単なものである。
【００２２】
特に、この発明の玄関ドアは、前記安全ガラスを外部に向かって凸面状にしていることによって、訪問者の全身の姿をより小さな面積の安全ガラスで確認することができ、安全ガラスの破壊による危険性を減少させる。また、訪問者は、自身の身嗜みを直すことができ、訪問者に悪意がある場合でも、自分自身の姿がマジックミラーに映されることになるので、その犯意を萎えさせ、犯罪行為を防止することができる点において優れた防犯性をも有しているものである。
【図面の簡単な説明】
【図１】  この発明の玄関ドアの一部を切欠いた側面図である。
【図２】  図１に示す玄関ドアの正面図である。
【符号の説明】
１        玄関ドア
２        ドア本体
３，３ａ  開口部
４        安全ガラス
６        扉
７        空所
８        照明灯
９        カーテンレール
１０      カーテン
１１      ドアノブ
【図１】
0003735840.tif 000002
【図２】
0003735840.tif 000003